(57)【要約】【課題】            偏心錘の固定位置合わせが容易で組立作業に不具合を生じさせることなく、且つ径方向の脱落を強固に防止することが可能な、扁平形振動モータの偏心錘の脱落防止構造を提供する。【解決手段】          ロータフレーム３２には、平板部３２ｂから軸方向に立ち上げられた外周部３２ｃが形成されており、ロータマグネット３３及び偏心錘３４の一部と当接している。平板部３２ｂと外周部３２ｃには、偏心錘３４との当接部分の一部が切り欠かれて切り欠き部３２ｄが形成されており、偏心錘３４の一部が突出部３４ａとして切り欠き部３２ｄから径方向外側に突出しており、偏心錘３４には、引掛け部３４ｂとしてロータフレーム３２の外周部３２ｃの切り欠き部３２ｄの端面及び外周部３２ｃの内周面に当接する段差部が形成されている。【選択図】          図２
2012005294.tif 000002
【特許請求の範囲】
【請求項１】
支軸の一端を支持するステータ部と、筒状部の開口が前記ステータ部で塞がれて前記支軸の他端を支持するカバーケースと、前記支軸が貫通する軸受を介して回転自在に支持されておりロータマグネット及び偏心錘を持つロータフレームとを備える扁平形振動モータであって、
前記ロータフレームは、平板部と、前記平板部から軸方向に立ち上がり、前記ロータマグネット及び前記偏心錘の外周面の一部と当接する外周部を持ち、前記偏心錘の固定箇所には前記平板部と前記外周部の一部が切り欠かれた切り欠き部が形成され、前記偏心錘は前記外周部の内周面に当接して径方向外側への抜けを止められるとともに一部が当該切り欠き部から径方向外側に突出しており、前記外周部又は前記偏心錘の前記外周部と当接する部分の少なくとも一方に、前記偏心錘の径方向の脱落を防止する引掛け部が形成されていることを特徴とする扁平形振動モータ。
【請求項２】
請求項１に記載の扁平形振動モータにおいて、前記偏心錘に形成される引掛け部は、前記ロータフレームの前記外周部の切り欠き部端面及び内周面に当接する段差部であることを特徴とする、扁平形振動モータ。
【請求項３】
請求項１及び２の何れかに記載の扁平形振動モータにおいて、前記偏心錘には、前記ロータフレームの前記平板部の切り欠き部端面に当接する段差部が形成されていることを特徴とする、扁平形振動モータ。
【請求項４】
請求項１乃至３の何れかに記載の扁平形振動モータにおいて、前記ロータフレームには前記偏心錘を固定する加締め片が形成されていることを特徴とする、扁平形振動モータ。
【請求項５】
請求項４に記載の扁平形振動モータにおいて、前記偏心錘には、前記加締め片を受けるための凹部が形成されていることを特徴とする、扁平形振動モータ。
【請求項６】
請求項１乃至５のいずれかに記載の扁平形振動モータにおいて、前記偏心錘は、前記支軸側が円弧状に形成され、当該円弧状部分に前記ロータマグネットの外周面が当接することを特徴とする、扁平形振動モータ。
【発明の詳細な説明】
【技術分野】
【０００１】
本発明は扁平形振動モータに関し、特に、偏心錘の脱落防止構造に関する。
【背景技術】
【０００２】
例えば、特開２００４−１４７４６８に示すような扁平形振動モータでは、偏心錘の固定手段として、レーザー等の溶接で偏心錘をロータフレームに固定しているが、溶接固定の場合、溶接部の腐食、品質のばらつき、コスト高などの問題がある。そのため、接着剤による固着固定が用いられることがあるが、固着固定では溶接固定と比べ固定強度が弱く、偏心錘の脱落の恐れがあった。
【０００３】
この問題を解決する為、例えば特開２００４−２５０６４のようにロータフレームと偏心錘を加締めたり、あるいは特開２００６−１９２３１７のようにロータフレームに穴を形成し偏心錘にこの穴に対応する突起を形成して嵌め合わせることで、固着固定を補強する構成が採用されている。
【先行技術文献】
【特許文献】
【０００４】
【特許文献１】特開２００４−１４７４６８
【特許文献２】特開２００４−２５０６４
【特許文献３】特開２００６−１９２３１７
【発明の概要】
【発明が解決しようとする課題】
【０００５】
しかしながら、このような加締めや嵌め合わせの構成では、偏心錘をロータフレームに固定する際の位置合わせに手間がかかり、組立作業に不具合が生じる恐れがあり、また、接着固定の補強という点ではまだ補強不足になる可能性もあった。
【０００６】
そこで、上記問題に鑑み、本発明の課題は、扁平形振動モータにおいて、偏心錘の固定位置合わせが容易で組立作業に不具合を生じさせることなく、且つ径方向の脱落を強固に防止することで偏心錘の固着固定の固定強度をより一層補強することが可能な、偏心錘の脱落防止構造を提供することである。
【課題を解決するための手段】
【０００７】
上記課題を解決する為、本発明に係る扁平形振動モータの偏心錘の脱落防止構造は、支軸の一端を支持するステータ部と、筒状部の開口がステータ部で塞がれて支軸の他端を支持するカバーケースと、支軸が貫通する軸受を介して回転自在に支持されておりロータマグネット及び偏心錘を持つロータフレームとを備える扁平形振動モータであって、ロータフレームは、平板部と、平板部から軸方向に立ち上がり、ロータマグネット及び偏心錘の外周面の一部と当接する外周部を持ち、偏心錘の固定箇所には平板部と外周部の一部が切り欠かれた切り欠き部が形成され、偏心錘は外周部の内周面に当接して径方向外側への抜けを止められるとともに一部が当該切り欠き部から径方向外側に突出しており、外周部又は偏心錘の外周部と当接する部分の少なくとも一方に、偏心錘の径方向の脱落を防止する引掛け部が形成されていることを特徴とする。偏心錘の引掛け部としては、ロータフレームの外周部の切り欠き部端部及び内周面に当接する段差部とすることができる。また、偏心錘には、ロータフレームの平板部の切り欠き部端面に当接する段差部を形成してもよい。また、ロータフレームには偏心錘を固定する加締め片を形成してもよく、この場合、偏心錘にはこの加締め片を受けるための凹部を形成するとよい。さらに、偏心錘は支軸側を円弧状に形成し、この円弧状部分にロータマグネットの外周面が当接する構造を採用することもできる。
【０００８】
このような扁平形振動モータの偏心錘の脱落防止構造では、偏心錘はロータフレーム外周部の内周面に当接して径方向外側への抜けを止められるとともに、一部がロータフレームの切り欠き部から径方向外側に突出していることから、偏心錘の突出部とロータフレームの切り欠き部により容易に偏心錘の位置合わせが可能になり、また、偏心錘が突出する分、重心も径方向外側に移動するので、振動量を大きくすることができる。さらに、ロータフレームの外周部または偏心錘のロータフレーム外周部と当接する部分の少なくとも一方に、引掛け部を形成したので、偏心錘の径方向の脱落を防止し、偏心錘のロータフレームへの固着固定の固定強度を、より一層補強することが可能となる。
【０００９】
偏心錘の引掛け部として、ロータフレームの外周部の切り欠き部端面及び内周面に当接する段差部を形成する構造を採用した場合は、偏心錘の位置決めと径方向外側への脱落防止の効果を同時に得ることができる。なお、段差部の構造を、ロータフレームの外周部の切り欠き端部を包容するような形状にした場合は、偏心錘の径方向内側への脱落も防止できる。
【００１０】
また、偏心錘にロータフレームの平板部の切り欠き部端面に当接する段差部を形成した構造では、偏心錘の径方向内側への脱落を防止できる。
【００１１】
また、ロータフレームに偏心錘を固定する加締め片を形成する構造では、偏心錘の径方向外側及び内側、さらに軸方向の脱落抑制を図ることができ、偏心錘にこの加締め片を受けるための凹部を形成すると、これらの効果をより一層高めることができる。
【００１２】
さらに、偏心錘の支軸側を円弧状に形成し、この円弧状部分にロータマグネットの外周面を当接させた構造では、偏心錘の径方向内側への脱落を防止でき、ロータマグネットとロータフレームの外周部とで偏心錘を挟み込んで固定するため、径方向の脱落を一層強固に防止することができ、偏心錘の固着固定の固定強度をより一層補強することができる。
【発明の効果】
【００１３】
本発明の扁平形振動モータでは、偏心錘の固定位置合わせが容易で組立作業に不具合を生じさせることなく、且つ径方向の脱落を強固に防止することで偏心錘の固着固定の固定強度をより一層補強することが可能となる。
【図面の簡単な説明】
【００１４】
【図１】本発明の実施例に係る扁平形振動モータの縦断面図である。
【図２】（Ａ）は同扁平形振動モータのロータ部を裏面から見た平面図、（Ｂ）は同ロータ部の縦断面図である。
【図３】同ロータ部の組立斜視図である。
【図４】（Ａ）は本発明の他の実施例に係る扁平形振動モータのロータ部を裏面から見た平面図、（Ｂ）は（Ａ）のａ−ａ線に沿った縦断面図である。
【図５】同ロータ部の組立斜視図である。
【発明を実施するための形態】
【００１５】
次に、本発明の実施形態を、添付図面に基いて説明する。
【実施例１】
【００１６】
図１は本発明の実施例に係る扁平形振動モータの縦断面図、図２（Ａ）は同扁平形振動モータのロータ部を裏面から見た平面図、（Ｂ）は同ロータ部の縦断面図、図３は同ロータ部の組立斜視図である。
【００１７】
本発明の扁平形振動モータはブラシレスモータで、支軸１の一端を支持するプレート１１とこのプレート１１に重ね合わされた回路基板１２を有し、回路基板１２上には複数個の空芯コイル１３や電子部品１４が搭載されており、これらでステータ部１０を形成している。
【００１８】
また、支軸１の他端を支持する有底扁平円筒状のカバーケース２０と、支軸１が貫通する軸受３１を介して回転自在に支持されているロータ部３０とを備えており、カバーケース２０の開口部２０ａはステータ部１０で塞がれている。
【００１９】
ロータ部３０は、軸受３１と、軸受３１を内嵌したバーリング部３２ａを有するロータフレーム３２と、ロータフレーム３２の平板部３２ｂに接着剤等で固着固定されたロータマグネット３３と、ロータマグネット３３の外側で同じく平板部３２ｂに接着剤等で固着固定された偏心錘３４とからなる。
【００２０】
ロータフレーム３２は、平板部３２ｂから軸方向に立ち上げられた外周部３２ｃが形成されており、ロータマグネット３３及び偏心錘３４の一部と当接している。平板部３２ｂと外周部３２ｃには、偏心錘３４との当接部分の一部が切り欠かれて切り欠き部３２ｄが形成されており、偏心錘３４の一部が突出部３４ａとして切り欠き部３２ｄから径方向外側に突出している。
【００２１】
偏心錘３４には、引掛け部３４ｂとしてロータフレーム３２の外周部３２ｃの切り欠き部３２ｄの端面及び外周部３２ｃの内周面に当接する段差部が形成されている。
【００２２】
なお４０は、軸受３１の下端面を受けるように支軸１に貫通され、プレート１１上に搭載されたワッシャーである。
【００２３】
このようなロータフレーム３２及び偏心錘３４においては、偏心錘３４の段差部３４ｂがロータフレーム３２の外周部３２ｃの内周面に当接して径方向外側への脱落を止めるとともに、偏心錘３４の突出部３４ａが切り欠き部３２ｄから径方向外側に突出していることから、突出部３４ａと切り欠き部３２ｄにより容易に偏心錘３４のロータフレーム３２への位置合わせが可能になる。また、突出部３４ａの分、偏心錘３４の重心も径方向外側に移動するので、振動量を大きくすることができる。偏心錘３４の径方向外側への脱落を防止することから、偏心錘３４のロータフレーム３２への接着剤等の固着固定の固定強度をより一層補強することが可能となり、溶接固定の不具合である、溶接部の腐食、品質のばらつき、コスト高などの問題が発生しない接着剤等の固着固定において、溶接固定に匹敵する十分な固定強度を得ることができる。
【００２４】
なお、偏心錘３４には、ロータフレーム３２の平板部３２ｂの切り欠き部３２ｄの端面に当接する段差部である引掛け部３４ｃを形成してもよい。引掛け部３４ｃにより、偏心錘３４の径方向内側への脱落を防ぐことができ、段差部３４ｂと合わせると、偏心錘３４の径方向外側及び内側双方の脱落を防止できることから、偏心錘３４のロータフレーム３２への接着剤等の固着固定の固定強度をさらに一層補強することが可能となる。
【００２５】
また、偏心錘３４の支軸１側に円弧状部分３４ｄを形成し、この円弧状部分３４ｄにロータマグネット３３の外周面が当接するようにしてもよい。偏心錘３４の径方向内側への脱落を防止でき、さらにロータマグネット３３とロータフレーム３２の外周部３２ｃとで偏心錘３４を挟み込んで固定するため、径方向の脱落をより一層強固に防止することができる。
【実施例２】
【００２６】
図４（Ａ）は本発明の他の実施例に係る扁平形振動モータのロータ部を裏面から見た平面図、（Ｂ）は（Ａ）のａ−ａ線に沿った縦断面図、図５は同ロータ部の組立斜視図であり、このロータ部の構造以外は実施例１と同じである。実施例１と同構造の部分には同じ符号を使用し、その説明は省略する。
【００２７】
本実施例のロータ部３０’では、実施例１の構造に加え、ロータフレーム３２’の外周部３２ｃに加締め片３２ｅが形成されており、偏心錘３４’を加締め固定している。
【００２８】
このようなロータフレーム３２’及び偏心錘３４’においては、実施例１の偏心錘脱落防止の効果に加え、加締め固定により偏心錘３４’の径方向の脱落をさらに強固に防止できるとともに、軸方向の脱落防止を図ることができる。
【００２９】
また、偏心錘３４’には加締め片３２ｅを受けるための凹部３４ｅを形成してもよい。凹部３４ｅに加締め片３２ｅを加締めることで、加締め固定がより安定する。
【００３０】
実施例２においても、偏心錘３４’の支軸１側に円弧状部分３４ｄを形成し、この円弧状部分３４ｄにロータマグネット３３の外周面が当接する構造を採用してもよく、偏心錘３４’の径方向内側への脱落を防止でき、さらにロータマグネット３３とロータフレーム３２’の外周部３２ｃとで偏心錘３４’を挟み込んで固定することができる。
【００３１】
なお、実施例１、２のいずれも、ロータマグネット３３、偏心錘３４（３４’）、ロータフレーム３２（３２’）の外周部３２ｃのそれぞれの当接面を接着剤等で固着固定することも可能であり、固着強度がより一層向上する。
【００３２】
本発明では、軸固定型の扁平形振動モータの構造で説明を行ったが、本発明は軸回転型のモータ構造にも適用できる。
【符号の説明】
【００３３】
１…支軸
１０…ステータ部
１１…プレート
１２…回路基板
１３…空芯コイル
１４…電子部品
２０…カバーケース
２０ａ…開口部
３０、３０’…ロータ部
３１…軸受
３２、３２’…ロータフレーム
３２ａ…バーリング部
３２ｂ…平板部
３２ｃ…外周部
３２ｄ…切り欠き部
３２ｅ…加締め片
３３…ロータマグネット
３４、３４’…偏心錘
３４ａ…突出部
３４ｂ、３４ｃ…引掛け部
３４ｄ…円弧状部分
３４ｅ…凹部
４０…ワッシャー
【図１】
2012005294.tif 000003
【図２】
2012005294.tif 000004
【図３】
2012005294.tif 000005
【図４】
2012005294.tif 000006
【図５】
2012005294.tif 000007